(57)【要約】【目的】  救急機関への通報が出来ると共に携帯型のカルテ（一度表示したら救急車が到着するまで表示し続ける特徴を有するもの）となるような携帯装置を提供すること。【構成】  携帯電話手段により所定の救急機関にダイヤルしたら、カルテなどの診療情報を記憶装置から読み出して自己の表示画面に表示し、その表示を所定の操作が為されるまで表示し続けるようにする。また所定のスイッチが操作されたら、自己の表示画面に、カルテなどの診療情報を記憶装置から読み出して表示すると共に担当医や救急車などの電話番号へのリンク（Ｐｈｏｎｅｔｏ）を選択可能に表示して、その表示を所定の操作が為されるまで表示し続けるようにする。【選択図】図１
2007183697.tif 000002
【特許請求の範囲】
【請求項１】
携帯電話機は、所定の救急機関にダイヤルしたら、カルテなどの診療情報を記憶装置から読み出して自己の表示画面に表示し、その表示を所定の操作が為されるまで表示し続けることを特徴とする、携帯型カルテ表示装置。
【請求項２】
前記救急機関へのダイヤルのための専用のスイッチが設けられている、請求項１に記載の携帯型カルテ表示装置。
【請求項３】
前記表示画面に、担当医などの電話番号へのリンク（Ｐｈｏｎｅｔｏ）が設けられておりこのリンクのみ選択可能とする、請求項１に記載の携帯型カルテ表示装置。
【請求項４】
携帯電話機は、所定のスイッチが操作されたら、自己の表示画面に、カルテなどの診療情報を記憶装置から読み出して表示すると共に担当医や救急車などの電話番号へのリンク（Ｐｈｏｎｅｔｏ）を選択可能に表示して、その表示を所定の操作が為されるまで表示し続けることを特徴とする、携帯型カルテ表示装置。
【請求項５】
前記カルテなどの診療情報を表示するための専用のスイッチが設けられている、請求項４に記載の携帯型カルテ表示装置。
【請求項６】
前記表示を止めるスイッチが電源スイッチである、請求項１または請求項４に記載の携帯型カルテ表示装置。
【請求項７】
前記表示画面を待ち受け画面に設定する、請求項１または請求項４に記載の携帯型カルテ表示装置。
【請求項８】
前記診療情報の表示と共に救助信号を発信する、請求項１または請求項４に記載の携帯型カルテ表示装置。
【請求項９】
所定の救急機関にダイヤルしたら、携帯電話の表示画面にカルテなどの診療情報を表示し、その表示を所定の操作が為されるまで表示し続けることを特徴とする、携帯型カルテ表示方法をコンピュータに実行させるプログラム。
【請求項１０】
所定のスイッチが操作されたら、自己の表示画面に、カルテなどの診療情報を記憶装置から読み出して表示すると共に担当医や救急車などの電話番号へのリンク（Ｐｈｏｎｅｔｏ）を選択可能に表示して、その表示を所定の操作が為されるまで表示し続けることを特徴とする、携帯型カルテ表示方法をコンピュータに実行させるプログラム。
【請求項１１】
所定の救急機関にダイヤルしたら、携帯電話の表示画面にカルテなどの診療情報を表示し、その表示を所定の操作が為されるまで表示し続けることを特徴とする、携帯型カルテ表示方法をコンピュータに実行させるためのプログラムを記録したコンピュータ読み取り可能な記録媒体。
【請求項１２】
所定のスイッチが操作されたら、自己の表示画面に、カルテなどの診療情報を記憶装置から読み出して表示すると共に担当医や救急車などの電話番号へのリンク（Ｐｈｏｎｅｔｏ）を選択可能に表示して、その表示を所定の操作が為されるまで表示し続けることを特徴とする、携帯型カルテ表示方法をコンピュータに実行させるためのプログラムを記録したコンピュータ読み取り可能な記録媒体。
【発明の詳細な説明】
【技術分野】
【０００１】  この発明は、救急機関への通報が必要な緊急時に、カルテなどの診療情報を表示画面に表示して、その表示を救急車が到着するまで固定したままで変えないでいるようにした、携帯電話機を利用した携帯型カルテ表示装置に関する。
【背景技術】
【０００２】  出先で身体の具合が悪くなったような場合を考えて、携帯型のカルテを身に付けておくことが行なわれている。特開２００２−２９７０３７号公報の個人認識票は火災に備えて燃えないチタン合金などの金属で作ったバングルなどに血液型や病歴などを刻印したものである。また特開２００３−０３０５７８号公報の印刷コードは血液型や病歴や緊急連絡先などを収録したものを衣類に取り付けておきこれを携帯型リーダで読み取ると言うものである。上記何れもデータベースへアクセスしてデータを照会する必要がないため、通信手段のないような野外活動中でも使用可能である。
【特許文献１】特開２００２−２９７０３７号公報
【特許文献２】特開２００３−０３０５７８号公報
【発明の開示】
【発明が解決しようとする課題】
【０００３】  上述した特開２００２−２９７０３７号や特開２００３−０３０５７８号を含む携帯型のカルテによれば、駆け付けた救急隊員などがその場で患者の血液型や病歴などを知ることが出来、直様適切な処置が行なえるため大いに有効なものである。またデータベースへアクセスしてデータを照会する必要がないとされているが、緊急時には患者も救急隊員もそのような照会を行なう余裕がないのが実状である。従って出先で倒れたような場合にはこのような携帯型のカルテを身に付けておくことは大変に重要である。【０００４】  しかしながらこのような携帯型のカルテにはそもそも緊急時に救急車を呼ぶ手段が備わっていないため、一人でいて倒れたような場合には誰かによる発見と助けを待たなくてはならない。従ってこの発明は救急機関への通報が出来ると共に携帯型のカルテとなるような携帯装置の提供を課題とする。
【課題を解決するための手段】
【０００５】  そこで当発明者は、最近は高齢者でも誰でもがみな持っておりしかも１１９番コールがその場で出来る携帯電話機を携帯型のカルテにすれば良い、と言う着想を得た。１１９番コールさえ行なってしまえば後は救急車の到着を待つだけであり、駆け付けた救急隊員はその携帯電話機に表示されているカルテをチェックすれば適切な処置を行なうことが出来ることになる。なお１１９番コールの後で携帯電話機を落としたりボタンに触れることで携帯電話機のボタンが押されたり、駆け付けた救急隊員により気付かずにボタンが押されるなどしても、この携帯電話機のカルテ表示が消えてしまわないようにしておく必要がある。ここもこの発明では極めて重要なポイントである。【０００６】  上記課題は次のような携帯型カルテ表示装置を提供することによって達成される。すなわち携帯電話手段により所定の救急機関にダイヤルしたら、カルテなどの診療情報を記憶装置から読み出して自己の表示画面に表示し、その表示を所定の操作が為されるまで表示し続けることを特徴とするものである。この携帯型カルテ表示装置では１１９番など所定の救急機関にダイヤルしたら、とにかくこの携帯型カルテ表示装置の表示画面にカルテなどの診療情報を表示するが、この後では携帯型カルテ表示装置のどのスイッチに触れられようともこのカルテを表示し続けるのである。救急隊員がこの診療情報を活用した後でならば携帯型カルテ表示装置の電池が消耗して自動電源ＯＦＦになろうが全く構わないわけである。なお処置の結果患者の容体が回復してこの携帯型カルテ表示装置を操作できるような場合に備えて或いは誰でも知っている共通の操作手順として、携帯型カルテ表示装置に所定の操作が為された場合にはこのカルテ表示を止めるようにしてあるのである。なおカルテ表示中の電池の消耗を防ぐには画面の明かるさを下げるようにすれば良い。すなわちどのスイッチに触れられてもカルテを表示し続けるが、その際に画面の明かるさを上げるように設定するのである。【０００７】  この携帯型カルテ表示装置ではテンキー操作によって例えば１−１−９の各スイッチが順に押された時にダイヤルする（発呼する）。或いは特定の組み合わせのスイッチが押されたり、短縮ダイヤルが設定された特定のスイッチが押されたりした場合にダイヤルするように設定してもよい。或いは前記救急機関へのダイヤルのための専用のスイッチが設けられているものとしても良い。これにはいわゆる防犯ブザーで採用されている引き抜き片を引き抜いた時にスイッチが入るようなものも含まれる。特に専用のスイッチはいま正に発作に襲われているような患者にとっては、また通報出来ないでいる患者に代わって通報する立場にいる半ばパニック状態の通行人にとっても操作しやすいものであると言うことが出来る。【０００８】  また前記表示画面のカルテ表示に於いて担当医などの電話番号へのリンク（Ｐｈｏｎｅｔｏ）が設けられているものとすると都合が良い。救急隊員や通行人などがこのリンクを選択することで自動的に担当医などの電話番号にダイヤルされるから、面倒であり押し間違いの起こりやすい長い電話番号をダイヤルさせるよりも優れたユーザーインターフェースであると言うことが出来る。なおこのリ���クの選択によってもカルテ表示は消えないようにしておくのである。リンクの選択は前記所定の操作すなわちカルテ表示をやめるための操作には含まれないようにすれば良い。【０００９】  さて上記の課題は、次のような携帯型カルテ表示装置を提供することによっても達成される。すなわち所定のスイッチが操作されたらカルテなどの診療情報を記憶装置から読み出して自己の表示画面に表示し、その表示を所定の操作が為されるまで表示し続け、その表示画面に担当医や救急車などの電話番号へのリンク（Ｐｈｏｎｅｔｏ）を選択可能に表示することを特徴とするものである。この携帯型カルテ表示装置ではとにかく所定のスイッチが操作されたら、この携帯型カルテ表示装置の表示画面にカルテなどの診療情報を表示するが、この後では携帯型カルテ表示装置のどのスイッチに触れられようとも、このカルテを表示し続けるようにするのである。そして倒れている患者を発見した近くの者が担当医や救急車などの電話番号へのリンクを選択することで自動的にこの電話番号にダイヤルされる。この際にこのリンクの選択によってもカルテ表示は消えないようにしておく。このように１１９番コールさえ行なっておけば、担当医や駆け付けた救急隊員はこの診療情報を活用することが出来るのである。なおカルテ表示中の電池の消耗を防ぐために画面の明かるさを下げるようにするなどすれば良いことは上述した通りである。【００１０】  この携帯型カルテ表示装置ではテンキー操作によって前記カルテなどの診療情報を表示するようにすることが出来る。あるいは特定の組み合わせのスイッチが押されたり、短縮ダイヤルが設定された特定のスイッチが押されたりした場合にダイヤルするように設定してもよい。またこのための専用のスイッチが設けられているものとしても良い。これにはいわゆる防犯ブザーで採用されている引き抜き片を引き抜いた時にスイッチが入るようなものも含まれる。この引き抜き式スイッチの操作は単純である。【００１１】  次に請求項１または請求項４に記載の携帯型カルテ表示装置に於いて、前記表示を止めるスイッチが電源スイッチであるものとすることが出来る。電源を入れ直すことによってこの携帯型カルテ表示装置を初期状態に戻すようにするのである。電源スイッチは言わばリセットスイッチであり、誰でもが知っている共通の操作手順とするには分かりやすいものである。またこれとは別に専用のリセットスイッチを設けるなどしても良い。【００１２】  また請求項１または請求項４に記載の携帯型カルテ表示装置に於いて、前記表示画面を待ち受け画面に設定するようにしても良い。所定のスイッチが操作されたら、通常表示している待ち受け画面の代わりにこのカルテ画面を待ち受け画面に切り替えて表示するのである。救急隊員が駆け付けた時にはこの待ち受け画面が表示されていることになる。【００１３】  また請求項１または請求項４に記載の携帯型カルテ表示装置に於いて、前記診療情報の表示と共に救助信号を発信するようにしても良い。救助信号は患者の存在を遠く広く報知する。従ってこれに気付いた通行人などによって患者が発見され保護されるし、特に請求項４の携帯型カルテ表示装置では担当医や救急車などの電話番号へのリンクの選択が早期に為される確率が高まる。【００１４】  なおこの発明は、所定の救急機関にダイヤルしたら、携帯電話の表示画面にカルテなどの診療情報を表示し、その表示を所定の操作が為されるまで表示し続けることを特徴とする、携帯型カルテ表示方法をコンピュータに実行させるプログラムとして、携帯型カルテ表示装置に組み込まれる。またこのプログラムはコンピュータ読み取り可能な記録媒体として提供することが出来る。【００１５】  またこの発明は、所定のスイッチが操作されたら、カルテなどの診療情報を記憶装置から読み出して自己の表示画面に表示しその表示を所定の操作が為されるまで表示し続け、その表示画面に担当医や救急車などの電話番号へのリンク（Ｐｈｏｎｅｔｏ）を選択可能に表示することを特徴とする、携帯型カルテ表示方法をコンピュータに実行させるプログラムとして携帯型カルテ表示装置に組み込まれる。またこのプログラムはコンピュータ読み取り可能な記録媒体として提供することが出来る。【００１６】  なおこの他この発明の携帯型カルテ表示装置では、基地局が把握している携帯電話手段に係る位置情報を利用して救急機関側で患者の居場所を掴むための一助とすることが出来る。さらに正確な位置情報を与えるのであればこの発明の携帯型カルテ表示装置にＧＰＳ（Ｇｌｏｂａｌ  Ｐｏｓｉｔｉｏｎｉｎｇ  Ｓｙｓｔｅｍ）装置を取り付けて、自己の位置情報を電話局に通知するようにすることが可能である。またカルテ表示が消されないようにするために、カルテを表示したらキーロックを掛けるわけであるが、このキーロックを外すためには、一般的な携帯電話機に設けられているキーロックスイッチを利用して、これを一旦ロックする方向に操作してからアンロックする方向に操作するなどと設定すれば良い。
【発明の効果】
【００１７】  この発明の携帯型カルテ表示装置によれば、救急機関への通報が出来ると共に携帯型のカルテとなり、且つこのカルテ表示は不用意に操作されたとしても消えることなく表示され続けるため必ず救急処置や治療の役に立つのである。しかもこの携帯型カルテ表示装置はこれ単独で動作するものであるため、データベースへアクセスしてデータを照会するなどが不要であり、従ってこの意味では救命サービスなどのセンターもまたこのセンターとの契約も必要がないため、このような救助を必要とする人達に広く普及させることが出来ると言う効果を奏する。
【発明を実施するための最良の形態】
【００１８】  第１実施形態
図１乃至図５を用いてこの発明の第１実施形態を説明する。この携帯型カルテ表示装置は折り畳み式の携帯電話機を利用したものであり、図２はこの携帯電話機４を開いた状態を表わす説明図であり、また図１はこの携帯電話機４のブロック図である。携帯電話機４は電話局とやり取りする通信部１０と、ダイヤルなどの操作を行なうための操作部３と、通信や操作の状況などを表示するための表示部２と、プログラムや電話帳や各種データを記憶しておくための記憶部１１と、これ等を制御するための制御部１とから成っている。後述する電源スイッチ３０とスライドスイッチ３１とは前記操作部３に設けられており、これ等は図２の携帯電話機４にも表わされている。スライドスイッチ３１以外のスイッチ（ボタン）は押すか長押しによって動作するが、スライドスイッチ３１はこれ等とは異なりスライドさせることによってのみ動作する。従って意図的に操作する以外には不本意には操作されることがない。また記憶部１１にはカルテ記憶部１２が設けられている。なお後述の前記制御部１にはＧＰＳユニットが接続されている。【００１９】  次にこの携帯電話機４の緊急時の動作を図３のフロー図で説明すると、前記制御部１は緊急スイッチであるスライドスイッチ３１が「ＳＯＳ」と表示された方向にスライドされてＯＮにされると（Ｓ１−１）、救急車を呼ぶべく１１９に電話を掛け（Ｓ２）、続いて携帯電話機４の液晶表示画面２０に緊急時医療情報の表示を行ない（Ｓ３）、このカルテ表示２１の画面をロックする（Ｓ４）。あるいは患者が直接ボタンを押して１１９をダイヤルしたような場合にも（Ｓ１−２）、制御部１は以下のＳ２〜Ｓ４のステップを実行するようになっている。従って患者はあるいは通行人は、とにかくスライドスイッチ３１をスライドさせるか、１１９をダイヤルすることによって救急車を呼んで助けを待つことが出来、同時に表示部２０にカルテ表示２１を行なって後に続く救急処置や治療の役に立つように準備することが出来るのである。「ＳＯＳ」のスライドスイッチ３１はこのような状況下でも分かりやすいスイッチであると言える。【００２０】  このカルテ表示２１すなわち緊急時医療情報の内容の一例を図４で示したが、ここには氏名、生年月日、血液型、掛付医師、診察券番号、連絡先、特記事項が表わされている。連絡先には電話番号が表示されているが、これは後述するＰｈｏｎｅｔｏリンクとなっている。なお図示しないがこのカルテ表示２１の元であるカルテはメニューから「カルテの作成」を選択することによって作成出来、また「カルテの編集」を選択することによって編集することが可能である。【００２１】  このカルテ表示２１は、一度表示されたらどのボタンが押されようとも、前記スライドスイッチ３１を元に戻そうとも、消されることがないようになっている。従ってこの携帯電話機４から電話を掛けたりすることは出来るが、その際でもカルテ表示２１は消えないままである。なおカルテが一画面に表示し切れない場合にはスクロールやページ切り替えを可能にしておけば良い。また図４ではカルテ表示２１中にＰｈｏｎｅｔｏリンク２２が表わされており、これが選択されると制御部１はこの連絡先に電話を掛けるように設定されているが、この際にもカルテ表示２１を消すことがなく表示を続行する。【００２２】  ではこのカルテ表示２１を消すにはどのようにしたら良いかと言うと、この実施形態の携帯電話機４では主電源（電源スイッチ３０）をＯＦＦにした後にＯＮにするようにすれば良い。図５はこの際のフロー図であるが、主電源がＯＦＦにされ（Ｓ５）、次に主電源がＯＮにされたら（Ｓ６）、制御部１はシステムを初期化して（Ｓ７）、システムを立ち上げるようにする（Ｓ８）。【００２３】  なおこの実施形態の携帯電話機４はＧＰＳ１３を備えており、自己の正確な位置情報を電話局に伝えることが出来るようになっている。従って上述したステップ（Ｓ１−１）または（Ｓ１−２）が実行された際に位置情報を送信して利用可能にするようにしても良いであろう。この他実際に１１９番通報は行なわないものの試験や訓練が可能となるようにテストモードを設けるようにしても良い。またダイヤル先を１１９ではなく、特定の医師や医療機関に設定することも可能である。【００２４】  第２実施形態
図６乃至図１０を用いてこの発明の第２実施形態を説明する。この携帯型カルテ表示装置は折り畳み式の携帯電話機を利用したものであり、図５ではこの携帯電話機４０が折り畳まれた状態が表わされている。この基本的な構成は上述した第１実施形態のブロック図に倣うものであるが、スライドスイッチ３１の代わりに引き抜きスイッチ３２が設けられている。この引き抜きスイッチ３２は向かい合わせて設けられた２枚の金属リード３３，３３がそれ自体の弾性によって常には各々の接点３４，３４部分で接触する方向に付勢されているが、金属リード３３，３３の間に引き抜き片３４が挿着されることによって接点３４，３４が離れて不導通の状態となっている。従って引き抜き片３５を引き抜くことにより接点３４，３４が接触して導通するわけである。このようであるから患者にとっても通行人にとっても緊急時の操作方法が極めて分かりやすい。引き抜き片３４やその周辺に「ＳＯＳ」などの表示を行なうようにするとさらに良い。【００２５】  次にこの実施形態の携帯型カルテ表示装置の動作を図７のフロー図を参照しながら説明する。前記引き抜き片３５が引き抜かれて金属リード３３，３３の接点３４，３４が接触することで引き抜きスイッチ３２がＯＮにされたら（Ｓ９）、制御部は先ず緊急ブザーを図示しない着信音スピーカより発生させ（Ｓ１０）、続いて携帯電話機４０の図示しない液晶表示画面に待ち受け画面として緊急時医療情報の表示を行ない、このカルテ画面２１をロックする（Ｓ１１）。なおカルテ画面２１は新たな待ち受け画面であるから、表示をロックしない設定も可能である。仮に不本意に携帯電話機のボタンを押してしまったような場合であっても、この待ち受け画面（カルテ画面２１）への復帰は共通の操作手順として携帯電話の利用者であれば誰もが知っていることである。緊急ブザーを聞き付けて患者に駆け寄った通行人はここでカルテ画面２１を見ることになる。あるいは動けない患者に代わって緊急ブザーを発生させカルテ画面２１を表示させるようにする。通行人が子供の場合などでは大人の助けを必要とするが、緊急ブザーはこの際に実に効果的である。またカルテ画面２１のロックも極めて重要である。【００２６】  カルテ画面２１には図９で表わされているようにタイトルの下に１１９番通報のためのＰｈｏｎｅｔｏリンク２４が設けられている。また掛付医師の項にＰｈｏｎｅｔｏリンク２３が、連絡先の項にＰｈｏｎｅｔｏリンク２２が設けられている。なおカルテ画面２１の最下部にはカルテ画面２１（現在の待ち受け画面である）を消して元々の待ち受け画面に戻すための取り扱い説明２５が記載されている。このＰｈｏｎｅｔｏリンクは患者自身が選択出来れば良いが、そう出来ない場合には通行人が選択する。【００２７】  さて図９のカルテ画面２１から１１９番通報のためのＰｈｏｎｅｔｏリンク２４が選択されたら（Ｓ１２）、制御部は緊急ブザーを止めて（Ｓ１３）、１１９番に電話を掛ける（Ｓ１４）。この際にカルテ表示２１を消すことがなく表示を続行する。なおこれ以外のＰｈｏｎｅｔｏリンク２２，２３が選択された場合には制御部は各々の電話番号に電話を掛ける。【００２８】  次に図１０はカルテ表示を止めるための動作を���わすフロー図である。カルテ画面２１を消して元々の待ち受け画面に戻すには、前記取り扱い説明２５によればＭｅｎｕボタンを５秒間押すとある。そこでメニューボタンが押されたら（Ｓ１５）、制御部はタイマーを始動し（Ｓ１６）、メニューボタンが５秒間以上押されたか否かを判定し（Ｓ１７）、Ｙｅｓであれば初期画面すなわち元々の待ち受け画面に戻すが（Ｓ１８）、Ｎｏであればメニューを表示する、すなわちメニュー画面に対しては何もしない（Ｓ１９）。【００２９】  なおＰｈｏｎｅｔｏリンク以外に、ＭａｉｌｔｏリンクやＷｅｂリンクを設けることも可能である。例えばＷｅｂリンクの選択によってＷｅｂブラウザを起動し所定のＷｅｂにアクセスして、この患者のカルテが参照出来るように設定しておくのである。
【産業上の利用可能性】
【００３０】  なおこの発明の携帯型カルテ表示装置は患者の救急救命用以外にも、子供の連れ去りなどの犯罪を防止したり、はぐれた子供を保護したりするための携帯型連絡先表示装置などへの利用が可能である。引き抜きスイッチが作動したら１１０番へ自動的にダイヤルしたり、ＧＰＳによる位置情報を発信したり、防犯ブザーを鳴らしたりすると共に、警察などへの連絡先を表示するように設計するのである。
【図面の簡単な説明】
【００３１】
【図１】  第１実施形態の携帯型カルテ表示装置のブロック図である。
【図２】  この携帯型カルテ表示装置の説明図である。
【図３】  この携帯型カルテ表示装置の動作を表わすフロー図である。
【図４】  画面表示の説明図である。
【図５】  カルテ表示を止めるための動作を表わすフロー図である。
【図６】  第２実施形態の携帯型カルテ表示装置の説明図である。
【図７】  引き抜きスイッチの説明図である。
【図８】  この携帯型カルテ表示装置の動作を表わすフロー図である。
【図９】  画面表示の説明図である。
【図１０】  カルテ表示を止めるための動作を表わすフロー図である。
【符号の説明】
【００３２】  １    制御部
１０  通信部
１１  記憶部
１２  カルテ記憶部
１３  ＧＰＳユニット
２    表示部
２０  液晶表示画面
２１  カルテ表示
２２  Ｐｈｏｎｅｔｏリンク
２３  Ｐｈｏｎｅｔｏリンク
２４  Ｐｈｏｎｅｔｏリンク
２５  取り扱い説明
３    操作部
３０  電源スイッチ
３１  スライドスイッチ
３２  引き抜きスイッチ
３３  金属リード
３４  接点
３５  引き抜き片
４    携帯電話機
４０  携帯電話機
【図１】
2007183697.tif 000003
【図２】
2007183697.tif 000004
【図３】
2007183697.tif 000005
【図４】
2007183697.tif 000006
【図５】
2007183697.tif 000007
【図６】
2007183697.tif 000008
【図７】
2007183697.tif 000009
【図８】
2007183697.tif 000010
【図９】
2007183697.tif 000011
【図１０】
2007183697.tif 000012